(57)【要約】【課題】目標物に対するヘッドのフェース面の向き調整を容易に且つ正確に行うことができるクラブ及びその照準用補助具を提供する。【解決手段】フェース面４を有するヘッド１と、該ヘッド１から上方に伸びるシャフト２とを備えたクラブにおいて、前方の目標物を映して上方から見えるようにする後方傾斜の鏡面１０ａを備え、目標物を鏡面１０ａに映してヘッド１を目標物に向ける際の目印となる目標合わせ用目印部２０，２２が鏡面１０ａに設けられ、互いに前後に離間して対応した位置関係で配置された前後一対の照準用表示部を備え、前側の照準用表示部は照準体１２の後面であって前後方向の軸線Ｂを中心とした囲いを形成するように構成され、後側の照準用表示部２２は、鏡面１０ａにおいて前記軸線Ｂ上の点を示すように構成されていることを特徴とする。【選択図】図１
2011010984.tif 000002
【特許請求の範囲】
【請求項１】
フェース面を有するヘッドと、該ヘッドから上方に伸びるシャフトとを備えたクラブにおいて、
前方の目標物を映して上方から見えるようにする後方傾斜の鏡面を備え、目標物を鏡面に映してヘッドのフェース面を目標物に向ける際の目印となる目標合わせ用目印部が鏡面又は鏡面の前方に設けられ、互いに前後に離間して対応した位置関係で配置された前後一対の照準用表示部を備え、後側の照準用表示部は鏡面又は鏡面の前方に位置し、該前後一対の照準用表示部のうち、一方の照準用表示部は前後方向の軸線を中心とした囲いを形成するように構成され、他方の照準用表示部は、前記軸線上の点を示すように構成されていることを特徴とするクラブ。
【請求項２】
前記他方の照準用表示部は目標合わせ用目印部を兼ねている請求項１記載のクラブ。
【請求項３】
前記他方の照準用表示部は後側の照準用表示部であって鏡面に形成されている請求項２記載のクラブ。
【請求項４】
鏡面の前方に照準体が設けられ、該照準体は、前後に貫通した円形又は多角形の貫通孔を有する枠状又は門状に形成され、照準体の貫通孔の開口縁部が前側の照準用表示部を構成している請求項３記載のクラブ。
【請求項５】
照準体が円形の枠状であって、その後面全体が前側の照準用表示部を構成している請求項４記載のクラブ。
【請求項６】
照準体の後面の上下左右の四カ所には、後面の他の部分とは異なる色彩のスポットエリア部が形成されている請求項５記載のクラブ。
【請求項７】
照準体の後面に前側の補助照準用表示部が設けられ、該前側の補助照準用表示部に対応した鏡面の位置には後側の補助照準用表示部が設けられ、一方の補助照準用表示部は円形又は多角形であり、他方の補助照準用表示部は一方の補助照準用表示部の中心を示すものである請求項４又は５記載のクラブ。
【請求項８】
照準体の後面に該後面の他の部分とは異なる色彩のスポットエリア部が形成され、該スポットエリア部に前側の補助照準用表示部が設けられている請求項７記載のクラブ。
【請求項９】
鏡面には前記軸線上の点を通る縦線が後側の照準用表示部の一構成要素として形成され、照準体の後面の上部には鏡面に映ったときに鏡面の縦線と一致する補助照準用縦線が形成されている請求項４又は５記載のクラブ。
【請求項１０】
鏡面には前記軸線上の点を通る横線が後側の照準用表示部の一構成要素として形成され、照準体の後面の左右両側部のうち少なくとも一方の側部には鏡面に映ったときに鏡面の横線と一致する補助照準用横線が形成されている請求項９記載のクラブ。
【請求項１１】
照準体の後面の上部と左右両側部のうち少なくとも一方の側部には、該後面の他の部分とは異なる色彩のスポットエリア部が形成され、該スポットエリア部に前記補助照準用縦線と補助照準用横線が形成されている請求項１０記載のクラブ。
【請求項１２】
フェース面を有するヘッドと該ヘッドから上方に伸びるシャフトとを備えたクラブに取り付けられて、ヘッドのフェース面を前方の目標物に向けるための補助となるクラブの照準用補助具であって、
目標物を映して上方から見えるようにする後方傾斜の鏡面を備え、目標物を鏡面に映してヘッドのフェース面を目標物に向ける際の目印となる目標合わせ用目印部が鏡面又は鏡面の前方に設けられ、互いに前後に離間して対応した位置関係で配置された前後一対の照準用表示部を備え、後側の照準用表示部は鏡面又は鏡面の前方に位置し、該前後一対の照準用表示部のうち、一方の照準用表示部は前後方向の軸線を中心とした囲いを形成するように構成され、他方の照準用表示部は、前記軸線上の点を示すように構成されていることを特徴とするクラブの照準用補助具。
【発明の詳細な説明】
【技術分野】
【０００１】
本発明は、ゴルフやゲートボールなどのように載置されたボールを打つ球技用あるいはそれらの球技を模したゲーム用としてのクラブ及びその照準用補助具に関するものである。
【背景技術】
【０００２】
例えば、ゴルフのパッティングにおいて、プレーヤはストレートラインやフックライン、スライスライン等を判断して打球方向を定める必要がある。その際、前方のホールの縁や樹木等を目標物にして、その目標物にヘッドのフェース面が対向するようにクラブの向きを調整する。即ち、前方の目標物とゴルフボールとを結ぶ直線に対してヘッドのフェース面が直交するようにクラブの向きを調整しなければならないが、このフェース面の向きの調整は必ずしも容易ではない。
【０００３】
そこで、かかる調整を容易にするために、中央に縦線を引いた鏡をヘッド等に取り付けたものも提案されている（下記特許文献１乃至７）。これらの場合、プレーヤは、上方から鏡を見て、鏡に映った目標物が鏡の縦線に合致するように鉛直方向を中心にクラブを回動させてフェース面の向きを調整することになる。その一方、プレーヤが鏡を見る際にはその目線が鏡の真上に位置していることが重要である。即ち、目標物とゴルフボールとを結ぶ直線を含んだ鉛直面上に目線を位置させる必要がある。仮に、プレーヤの目がヘッドの真上から内外方向（目標物を前とした場合の前後方向に対して平面視において直交する方向であってプレーヤに近い側を内、プレーヤから遠い側を外とする）に位置ずれしていると、鏡に映る目標物を鏡の縦線に合致させたとしてもフェース面は目標物に対して傾いた状態となり、目標物に向かってボールを正確に打つことができない。そのため例えば下記特許文献２、６、７では、プレーヤの目線を調整するための構造についても提案されている。
【０００４】
しかしながら、下記特許文献２のものでは、プレーヤはまず鏡の後方に位置する水準器を見ながらヘッドに対する目線の角度を内外方向に合わせた後、今度は鏡を見ながらその縦線に目標物が合致するようにパッドを回動させなければならず、作業が繁雑である。
【０００５】
また下記特許文献６の場合には、鏡の上方に位置する細い確認棒を利用して目線を合わせることになる。しかしながら、鏡に描かれた縦線はそもそも細くて見にくいうえに、その上方に確認棒が位置しているためその確認棒の存在によって更に鏡の縦線が視認しにくくなる。この鏡の縦線を仮に太くすれば見やすくなるが、そうすると反射しない幅広の領域が鏡の中央に形成されることになって、鏡に映る目標物が見えにくくなる。
【０００６】
また更に下記特許文献７の場合、まず第１に、鏡の後方に照準部材を位置させる構成では、鏡とは別に照準部材を見て目線を合わせる必要があり、また第２に、鏡の直ぐ上にスリットを有する比較的幅広の照準部材を位置させる構成では、その照準部材の存在によって鏡に映った目標物を確認しにくいという不具合がある。
【先行技術文献】
【特許文献】
【０００７】
【特許文献１】実開平２−１０４０７５号公報
【特許文献２】特開平７−２９９１８１号公報
【特許文献３】特開平８−２１５３５７号公報
【特許文献４】特開２０００−９３５６２号公報
【特許文献５】特開２０００−２１０３９７号公報
【特許文献６】特開２００５−２７９２０２号公報
【特許文献７】特表２００２−５１１７８８号公報
【発明の概要】
【発明が解決しようとする課題】
【０００８】
それゆえに本発明は上記従来の問題点に鑑みてなされ、目標物に対するヘッドのフェース面の向き調整を容易に且つ正確に行うことができるクラブ及びその照準用補助具を提供することを課題とする。
【課題を解決するための手段】
【０００９】
本発明は上記課題を解決すべくなされたものであって、本発明に係るクラブは、フェース面を有するヘッドと、該ヘッドから上方に伸びるシャフトとを備えたクラブにおいて、前方の目標物を映して上方から見えるようにする後方傾斜の鏡面を備え、目標物を鏡面に映してヘッドのフェース面を目標物に向ける際の目印となる目標合わせ用目印部が鏡面又は鏡面の前方に設けられ、互いに前後に離間して対応した位置関係で配置された前後一対の照準用表示部を備え、後側の照準用表示部は鏡面又は鏡面の前方に位置し、該前後一対の照準用表示部のうち、一方の照準用表示部は前後方向の軸線を中心とした囲いを形成するように構成され、他方の照準用表示部は、前記軸線上の点を示すように構成されていることを特徴とする。
【００１０】
該構成のクラブにあっては、後側の照準用表示部が鏡面に位置している場合には前側の照準用表示部が鏡面に映り、また、後側の照準用表示部が鏡面の前方に位置している場合には前側の照準用表示部と後側の照準用表示部が共に鏡面に映ることになる。そして、目線を前後方向と内外方向に調整しながら鏡面において他方の照準用表示部が一方の照準用表示部の中心に位置するようにすると、目線が鏡面の真上に位置する。そして、引き続き鏡面を見ながら、目標合わせ用目印部を目印にしつつ、目標物を鏡面の所定位置に映るようにヘッドのフェース面の向きを調整する。鏡面に映っている目標物が鏡面の所定位置に位置すると、ヘッドのフェース面が目標物を向くことになる。従って、ゴルフ等の場合、その目標物に向けて正確にボールを打つことができる。尚、目標合わせ用目印部を鏡面の前方に設けたり、後側の照準用表示部を鏡面の前方に位置させる構成としては、例えば、鏡面の前方に透明体を配置してその透明体に目標合わせ用目印部や後側の照準用表示部を設ける。
【００１１】
特に他方の照準用表示部が目標合わせ用目印部を兼ねていることが好ましく、他方の照準用表示部とは別に目標合わせ用目印部を設ける必要がなくなる。しかも、目線の調整と目標物に対するヘッドのフェース面の向き調整の何れにおいても、鏡面において他方の照準用表示部を見ながら行うことができるので、フェース面の向き調整がより一層スムーズとなる。
【００１２】
その場合、特に、他方の照準用表示部を後側の照準用表示部として鏡面に形成することが好ましい。一方の照準用表示部の中心を示す他方の照準用表示部の位置が鏡面において固定されるので、目標物の目印となる目標合わせ用目印部も固定されることとなり、鏡面を見ながらの目線の調整とフェース面の傾き調整がより一層容易になる。
【００１３】
更に、鏡面の前方に照準体が設けられ、該照準体は、前後に貫通した円形又は多角形の貫通孔を有する枠状又は門状に形成され、照準体の貫通孔の開口縁部が前側の照準用表示部を構成していることが好ましい。照準体を枠状又は門状に形成することにより十分な強度を確保でき、しかも、貫通孔を形成することで鏡面の前方視界も十分に確保できる。そして、その照準体の円形等の開口縁部が前側の照準用表示部となるので、鏡面に映った前側の照準用表示部が上方から見やすく、調整が簡単になる。
【００１４】
また更に、照準体が円形の枠状であって、その後面全体が前側の照準用表示部を構成していることが好ましい。鏡面において照準体自体を視認すればよいので、より一層視認性に優れることとなる。
【００１５】
特に、照準体の後面の上下左右の四カ所には、後面の他の部分とは異なる色彩のスポットエリア部が形成されていることが好ましい。上下左右のスポットエリア部の色彩が他の部分のそれとは異なっていることから、鏡面において前側の照準用表示部の中心が把握しやすくなる。
【００１６】
また、照準体の後面に前側の補助照準用表示部が設けられ、該前側の補助照準用表示部に対応した鏡面の位置には後側の補助照準用表示部が設けられ、一方の補助照準用表示部は円形又は多角形であり、他方の補助照準用表示部は一方の補助照準用表示部の中心を示すものであることが好ましい。まずは前側の照準用表示部である照準体の貫通孔の開口縁部あるいは照準体の後面全体を見て概略の目線調整を素早く行う。そして、円形又は多角形である一方の補助照準用表示部は照準体の貫通孔の開口縁部あるいは照準体の後面全体よりも小型であるので、更にその前後の補助照準用表示部の中心を合わせるように見ることで、より一層正確な内外方向と前後方向の目線調整を行うことが可能になる。
【００１７】
その場合特に、照準体の後面に該後面の他の部分とは異なる色彩のスポットエリア部が形成され、該スポットエリア部に前側の補助照準用表示部が設けられていることが好ましく、スポットエリア部が前側の補助照準用表示部の背景となることで前側の補助照準用表示部の視認性が高まる。
【００１８】
また、鏡面には前記軸線上の点を通る縦線が後側の照準用表示部の一構成要素として形成され、照準体の後面の上部には鏡面に映ったときに鏡面の縦線と一致する補助照準用縦線が形成されていることが好ましい。この場合も、まずは前側の照準用表示部である照準体の貫通孔の開口縁部あるいは照準体の後面全体を見て概略の目線調整を素早く行い、そのうえで更に、補助照準用縦線を鏡面の縦線と一致させることで、特に内外方向の目線調整をより一層正確に行うことが可能になる。特に照準体の後面の上部に補助照準用縦線を設けると、照準体の後面の下部に設ける場合に比して、目線の内外方向のずれに対する補助照準用縦線と鏡面の縦線との差が生じやすいので、調整が容易であり且つ正確にできる。
【００１９】
更に、鏡面には前記軸線上の点を通る横線が後側の照準用表示部の一構成要素として形成され、照準体の後面の左右両側部のうち少なくとも一方の側部には鏡面に映ったときに鏡面の横線と一致する補助照準用横線が形成されていることが好ましい。補助照準用横線を鏡面の横線と一致させることで、前後方向の目線調整についても、より一層正確に行うことが可能になる。
【００２０】
特に、照準体の後面の上部と左右両側部のうち少なくとも一方の側部には、該後面の他の部分とは異なる色彩のスポットエリア部が形成され、該スポットエリア部に前記補助照準用縦線と補助照準用横線が形成されていることが好ましい。スポットエリア部が補助照準用縦線と補助照準用横線の背景となることで、これら補助照準用縦線と補助照準用横線の視認性が高まる。
【００２１】
また、本発明に係るクラブの照準用補助具は、フェース面を有するヘッドと該ヘッドから上方に伸びるシャフトとを備えたクラブに取り付けられて、ヘッドのフェース面を前方の目標物に向けるための補助となるクラブの照準用補助具であって、目標物を映して上方から見えるようにする後方傾斜の鏡面を備え、目標物を鏡面に映してヘッドのフェース面を目標物に向ける際の目印となる目標合わせ用目印部が鏡面又は鏡面の前方に設けられ、互いに前後に離間して対応した位置関係で配置された前後一対の照準用表示部を備え、後側の照準用表示部は鏡面又は鏡面の前方に位置し、該前後一対の照準用表示部のうち、一方の照準用表示部は前後方向の軸線を中心とした囲いを形成するように構成され、他方の照準用表示部は、前記軸線上の点を示すように構成されていることを特徴とする。
【発明の効果】
【００２２】
以上のように、鏡面を見ながらその鏡面において他方の照準用表示部を一方の照準用表示部の中心に位置させることにより、目線の内外方向の調整と共に前後方向の調整を一度に行うことができる。しかも、鏡面において他方の照準用表示部を一方の照準用表示部の中心に位置させればよいので、上方から見やすく、目線の調整が簡単である。更に、そのまま鏡面を見ながら引き続いてヘッドの向き調整を行うことができるので、目標物に対するヘッドのフェース面の向き調整が容易且つスムーズである。
【図面の簡単な説明】
【００２３】
【図１】本発明の一実施形態におけるクラブを示す正面図。
【図２】図１のＰ−Ｐ断面図。
【図３】同実施形態におけるクラブの要部（照準体）を後方から見た図。
【図４】同実施形態におけるクラブの要部（鏡面）を上方から見た図。
【図５】同実施形態におけるクラブの一部断面を含む平面図。
【図６】本発明の他の実施形態におけるクラブを示す図２に対応した断面図。
【図７】本発明の他の実施形態におけるクラブを示す側面図。
【発明を実施するための形態】
【００２４】
以下、本発明の一実施形態にかかるクラブとしてのゴルフクラブとその照準用補助具について図１乃至図５を参酌しつつ説明する。図１乃至図５に示すゴルフクラブは、打球面であるフェース面４を有するヘッド１と、該ヘッド１から上方に伸びるシャフト２とを備えたアイアン（チッパーも含む）であり、ヘッド１のフェース面４を前方の目標物に向けるための照準用補助具Ａを備えている。尚、種々のアイアンのうち、特に飛距離をそれほど要しないものに適している。また、図中の矢印Ｘの方向が前後方向で、矢印Ｙの方向が内外方向である。
【００２５】
該アイアンは、照準用補助具Ａをヘッド１に備えた構成となっている。ヘッド１は、前記フェース面４を有するフェース部３とソール部５とホーゼル部６とが一体となった構造であって、フェース部３の後方が凹んだ後方開口型のキャビティ状のものであり、ホーゼル部６にシャフト２が上方から挿入されて固定されている。そして、照準用補助具Ａは、フェース面４より後方であってソール部５の上面に取り付けられている。該照準用補助具Ａは、前方の目標物を映してヘッド１の上方から見えるようにする後方傾斜の鏡面１０ａをその上面に有する薄板状の鏡部１０と、該鏡部１０の前方に位置する照準体１２と、鏡部１０と照準体１２を支持してヘッド１に取り付ける際の取付部となる台座部１３とを備えている。そして、本実施形態において、前後方向の軸線Ｂを中心とした囲いを形成するように構成された前側の照準用表示部が照準体１２に設けられ、前側の照準用表示部の中心である軸線Ｂ上の点を示すように構成された後側の照準用表示部が鏡面１０ａに設けられている。以下、詳細に説明する。
【００２６】
鏡部１０は、ヘッド１のフェース面４よりも後方に位置し、その前端部が下、後端部が上となるように後方に傾斜しており、その傾斜角度は例えば４５度である。鏡部１０は、ヘッド１のフェース面４の横幅（内外方向の寸法）と略同じ横幅であって、平面視矩形の板状に形成され、その上面が鏡面１０ａとなっている。尚、鏡部１０には例えばステンレス等の金属板が使用でき、また研磨により表面を容易に鏡面１０ａにすることができる。
【００２７】
図４に示すように、鏡面１０ａの内外方向（幅方向）の中央には縦線２０が上端から下端まで全高に亘って形成され、該縦線２０はフェース面４の幅方向略中央に位置する。また、鏡面１０ａの所定高さには、縦線２０と十字に交差する横線２１が右端から左端まで全幅に亘って形成されている。縦線２０は平面視において前後方向に伸びていて、横線２１は平面視において内外方向に伸びている。そして、縦線２０と横線２１の交点には、小円である中心表示円２２が形成されている。該縦線２０と横線２１の交点は、前側の照準用表示部の軸線Ｂ上にある。また、前側から鏡面１０ａを見た場合において縦線２０と横線２１の交点から所定距離右側（内外方向の内側）に離間した横線２１上の位置には、中心表示円２２よりも小径の小円である補助中心円２３が形成されると共に縦方向の短い補助縦線２４が補助中心円２３の中心を通るようにして形成されている。尚、本実施形態において、縦線２０と横線２１及び中心表示円２２が、後側の照準用表示部として構成されると共に、目標物を鏡面１０ａに映してヘッド１のフェース面４を目標物に向ける際の目印となる目標合わせ用目印部を兼ねている。また、補助中心円２３は、後述する照準体１２における前側の補助照準用表示部としての補助円３６の中心を示すものであって後側の補助照準用表示部として機能し、また補助縦線２４も後側の補助照準用表示部として機能する。
【００２８】
更に、横線２１上の中央付近には横方向の寸法を示す目盛り２５が設けられている。また、向かって左側即ち内外方向の外側の縁部にはヘッド１の前後方向（上下方向）の傾きを示すために縦方向の寸法を示す目盛り２６が設けられている。
【００２９】
尚、中心表示円２２の内側領域は黄色又は橙色あるいは白色に着色される一方、中心表示円２２の外縁や縦線２０、横線２１、補助中心円２３、縦方向の目盛り２６、横方向の目盛り２５は、何れも黄色等とは対立する色彩、例えば、黒色や青色で形成されている。尚、補助中心円２３の内側領域も同様に黒色や青色で塗りつぶされている。尚、図１、図４及び図５において中心表示円２２の内側領域を多数のドットを付して示している。
【００３０】
次に、前記照準体１２は、ヘッド１のフェース部３と鏡部１０との間に立設されている。該照準体１２は、前後方向に貫通する円形の貫通孔３０を有して全体として円形の枠状に形成され、その軸線Ｂが前後方向となるようにして鏡部１０の直ぐ前側に起立している。尚、照準体１２の前後方向の厚さは略一定であり、貫通孔３０の最下部がフェース面４の上端と略面一となっている。この照準体１２の貫通孔３０は前記前後方向の軸線Ｂをその中心軸とするもので、照準体１２の外周面もまた全体として貫通孔３０と同軸である。従って、貫通孔３０の開口縁部を含めて照準体１２の後面１２ａの全体が前側の照準用表示部として構成されている。
【００３１】
また、照準体１２の後面１２ａには、該後面１２ａの他の部分とは異なる色彩とされたスポットエリア部３１が設けられている。具体的には、照準体１２の後面１２ａの上部及び下部と左右両側部の合計四カ所にそれぞれスポットエリア部３１が互いに同色にて設けられている。尚、スポットエリア部３１の色彩は、他の部分の色彩と対立する色彩とすることが好ましく、例えば他の部分を青色や黒色とする場合、スポットエリア部３１は黄色や橙色あるいは白色とすることが好ましい。尚、図３及び図５においてスポットエリア部３１を多数のドットを付して示している。
【００３２】
詳細には上部と下部のスポットエリア部３１は貫通孔３０の中心を通る後面１２ａの縦方向中心線を中心とする左右振り分けの対称形状に形成され、左右両側部のスポットエリア部３１は貫通孔３０の中心を通る後面１２ａの横方向中心線を中心とする上下振り分けの対称形状に形成されている。尚、照準体１２の外周面のうち上部と左右両側部にはそれぞれ部分的に径方向外方に膨出した膨出部３２が形成されている。該膨出部３２の形成に伴って、照準体１２の後面１２ａも、その上部と左右両側部においては部分的に他の部分よりも太くなっており、従って、上部のスポットエリア部３１と左右両側部のスポットエリア部３１も他の部分よりも太く形成されて、面積の拡大が図られている。尚、左右両側部のうち内外方向の外側の膨出部３２（図３において右側）にはその中央に先細り形状（三角形状）の突起３３が形成され、鏡面１０ａに映った際にそれが矢印のように見える。
【００３３】
これらのスポットエリア部３１には、照準用表示部を補助する役割を有して目線の調整のしやすさとその精度を高めるための補助照準用表示部が設けられている。即ち、上部と下部のスポットエリア部３１には、補助照準用表示部として、それぞれ後面１２ａの縦方向中心線上に補助照準用縦線３４が形成され、左右両側部のスポットエリア部３１には、補助照準用表示部として、それぞれ後面１２ａの横方向中心線上に補助照準用横線３５が形成されている。補助照準用縦線３４は鏡面１０ａの縦線２０とセットになって目線の内外方向の調整を行うためのものであり、補助照準用横線３５は鏡面１０ａの横線２１とセットとなって目線の前後方向の調整を行うためのものである。更に、図３において向かって左側、即ち、内外方向の内側のスポットエリア部３１には、補助照準用表示部として、後面１２ａの横方向中心線上の所定位置を中心とした補助円３６と、その所定位置を通る補助縦線３７が更に形成されている。補助円３６は上述した鏡面１０ａの補助中心円２３（後側の補助照準用表示部）より大径であって両者は前後に対応した位置関係にあり、鏡面１０ａにおいて補助中心円２３を補助円３６の中心に位置させることで目線の調整を行うことができる。また、照準体１２の補助縦線３７と鏡面１０ａの補助縦線２４（後側の補助照準用表示部）とを鏡面１０ａにおいて一致させることでも目線の内外方向の調整を行うことができる。
【００３４】
尚、上部のスポットエリア部３１には、ヘッド１の内外方向の傾きを示すために横方向の寸法を示す目盛り３８が設けられている。また、図３において向かって右側、即ち、内外方向の外側のスポットエリア部３１には、ヘッド１の前後方向（上下方向）の傾きを示すために縦方向の寸法を示す目盛り３９が設けられている。更に、図５に示すように、照準体１２の上面、具体的には、上部の膨出部３２の上面にも、ヘッド１の内外方向の傾きを示すために横方向の寸法を示す目盛り４０が設けられている。
【００３５】
尚、スポットエリア部３１に設けられた線や目盛りは、スポットエリア部３１の色彩とは対立した色彩（例えば黒色や青色）とすることが好ましい。尚、照準体１２の後面１２ａにおいてスポットエリア部３１以外の部分に、文字やマークを入れてもよい。
【００３６】
また、鏡部１０と照準体１２を支持する台座部１３は、図１及び図２に示すように、ヘッド１に取り付けられる取付部５０と、該取付部５０の上側に位置してそれよりも内外方向に広くてその上面で鏡部１０を支持する鏡支持部５１と、該鏡支持部５１の前側に位置してその上面が照準体１２に対応して円弧状に湾曲した照準体支持部５２とから構成される。
【００３７】
以上のように構成されたアイアンにあっては、まずシャフト２のグリップ部を軽く把持してアイアンを吊り下げ状態にしてアイアンを鉛直姿勢とする。そして、図５のように鏡面１０ａには照準体１２が映っているので、照準体１２の中心に鏡面１０ａの中心表示円２２を位置させることにより、目線を鏡面１０ａの真上に位置させることができる。即ち、目線の内外方向と前後方向の調整を一度に行うことができる。そして、そのまま鏡面１０ａを見ながら中心表示円２２を目印にして鏡面１０ａに前方の目標物を映す。具体的には、目標物が中心表示円２２あるいは縦線２０上に位置するように、鉛直方向を中心にアイアンを左右に回動させてフェース面４の向きを調整して、そのフェース面４が目標物を向くようにする。このようにプレーヤは常に鏡面１０ａの中心表示円２２付近を見ていればよいので、目線の調整とヘッド１の調整をスムーズにしかも簡単に行うことができる。その際、中心表示円２２の内側領域を縦線２０とは対立する黄色や橙色あるいは白色に着色しているので、仮に前方の風景等が黒色に近い場合であっても中心表示円２２が黒色の風景等から浮かび上がって見えるので、目標物を容易に中心表示円２２あるいは縦線２０上に位置させることができるのである。
【００３８】
特に、鏡面１０ａに映った円形の照準体１２の中心に中心表示円２２を位置させることで目線の調整が完了するので、簡単に目線の調整ができる。その際、照準体１２の貫通孔３０の開口縁部のみならず照準体１２の後面１２ａが全体として円形であるので、上方から鏡面１０ａを見た場合において鏡面１０ａに映った照準体１２を容易に視認でき、その中心に中心表示円２２を容易に位置させることができる。更に、照準体１２の中心を把握する際において、照準体１２の後面１２ａにおいて上下左右の四カ所にスポットエリア部３１が設けられているので、その四カ所のスポットエリア部３１が目にとまりやすく、四カ所のスポットエリア部３１によっても照準体１２の中心位置を容易に把握することができる。
【００３９】
そして、更に、目線の調整を正確に行いたい等の場合には補助照準用表示部を用いる。即ち、補助円３６の中心に補助中心円２３を位置させることにより、目線の内外方向と前後方向の調整を同時に行うことができ、特に補助円３６が照準体１２よりも小径であるので細かな調整が可能である。また、対立した色彩のスポットエリア部３１が鏡面１０ａに映っていてそれが背景となっているので、補助円３６や補助中心円２３が見やすく、上方から鏡面１０ａを見ながらの目線の調整が極めて容易にできる。しかも、前方の視界を邪魔しない位置に存在しているので、補助円３６や補助中心円２３を太くすることもでき、それによっても良好な視認性を容易に確保でき、特に視力の弱い人や高齢者に適している。尚、その際、照準体１２の補助縦線３７と鏡面１０ａの補助縦線２４を使用して内外方向の調整を行うこともできる。
【００４０】
また、補助円３６による調整に代えて、鏡面１０ａの縦線２０に補助照準用縦線３４を一致させることで目線の内外方向の調整をより一層正確に行うこともできる。その際には、特に、上部のスポットエリア部３１に設けられた補助照準用縦線３４を使用すると、目線の内外方向のずれが、下部の場合よりも拡大されて現れるので、高い調整精度が得られる。また更に、鏡面１０ａの横線２１に補助照準用横線３５を一致させることで目線の前後方向の調整もより一層正確に行うことができる。また、補助照準用縦線３４や補助照準用横線３５についてもスポットエリア部３１に設けられていてそれとは対立する色彩にて表示されているので、鏡面１０ａに映ったスポットエリア部３１が補助照準用縦線３４等の背景となって上方から容易に視認できる。また、補助照準用縦線３４や補助照準用横線３５についても前方視界の邪魔にならない位置にあるので、十分な太さとすることができる。
【００４１】
また更に、照準体１２を円形の枠状としているので、その強度も十分に得られ、耐久性にも優れている。しかも、貫通孔３０によって前方視界が大きく確保できているので、目標物を容易に捉えて鏡面１０ａに映すことができるのである。
【００４２】
更に、照準体１２の後面１２ａの上部には、ヘッド１の内外方向の傾きを示すために横方向の寸法を示す目盛り３８が設けられているので、この目盛り３８を使用することによりフックやスライスを打つ際の目安にもなる。一般に、ヘッド１を内外方向の内側（手前）に傾けるとフック、逆に外側（奥側）に傾けるとスライスになるが、その程度はプレーヤの感覚にゆだねられており、経験が浅いと一定のフックやスライスを打つことが難しい。そこで、フックやスライスを打つ際の目安としてこの目盛り３８を使用する。つまり、鏡面１０ａの縦線２０が図５のように照準体１２の補助照準用縦線３４に一致している場合を基準のストレートとし、ヘッド１を内側や奥側に傾けると、鏡面１０ａの縦線２０は照準体１２の補助照準用縦線３４から左右にずれる。このずれ量がヘッド１の傾き量であるので、それを目盛り３８から読み取ることで常に一定のヘッド１の傾き量を簡単に得ることができる。また、目盛り３８を用いることでヘッド１の傾き量の大小も容易に調整できる。尚、鏡面１０ａの縦線２０を基準にして、照準体１２の上面の目盛り４０を使用してヘッド１の内外方向の傾きを読み取ってもよい。
【００４３】
尚、前方の地形が傾いている場合には、ヘッド１を内外方向に傾けることで、その地形の傾きを簡易的に把握することも可能である。即ち、鏡面１０ａの横線２１を水平基準線として、その横線２１に前方の地形を合わせるようにヘッド１を内外方向に傾ける。その際のヘッド１の傾きを上記目盛り３８，４０から読み取ることで、前方の地形の傾きを簡易的に測定することができる。
【００４４】
更に、アイアンの場合、ヘッド１のフェース面４の前後方向（上下方向）の傾きを調整してボールの回転力を調整するということもある。その場合には、照準体１２の後面１２ａの側部に設けられた目盛り３９や、鏡面１０ａの縁部の目盛り２６を用いる。即ち、図５の状態を基準としてヘッド１を前後方向に傾けると、鏡面１０ａの横線２１に対して照準体１２の補助照準用横線３５が上下に位置ずれし、同時に、照準体１２の一側部の突起３３も上下にずれることになる。そのずれ量を、照準体１２の後面１２ａの目盛り３９や、鏡面１０ａの側部の目盛り２６を使用して読み取り、ヘッド１の前後方向の傾き量を容易に調整することができる。尚、ヘッド１を前後方向に傾けると鏡面１０ａに映っている目標物もそれに合わせて鏡面１０ａにおいて前後（上下）に移動する。この移動量を目盛り３９，２６から読み取ることで、前方の目標物とプレーヤとの間の地形の傾きの大小を簡易的に把握することもできる。また逆に、目標物の高さがわかっている場合には、同様にヘッド１を前後方向に傾けてその傾き量を目盛り３９，２６から読み取ることで、その目標物までの距離も大まかに把握できる。
【００４５】
また、あえて鏡面１０ａに映る目標物が中心表示円２２ではなくそこから左右にずれた位置に映るように、ヘッド１のフェース面４の向きを調整して、ボールの方向性を意図的に調整するというような場合には、鏡面１０ａの横線２１上に設けられた目盛り２５を使用することができ、その方向の調整量を一定とすることができる。従って、この目盛り２５はパターの場合にも特に有効である。
【００４６】
尚、本実施形態では、後側の照準用表示部として、鏡面１０ａに縦線２０と横線２１と中心表示円２２とを設けたが、これらを全て設ける必要はなく、例えば、中心表示円２２のみの場合や、縦線２０と中心表示円２２、横線２１と中心表示円２２、縦線２０と横線２１とするなど、適宜変更可能である。また、中心表示円２２のように円形とする他、矩形のものを設けるなど、後側の照準用表示部の形状についても変更可能であり、その色彩や大きさについても変更可能である。何れにしても、前側の照準用表示部の中心を鏡面１０ａにおいて表示する構成であればよい。
【００４７】
また、照準用表示部に加えて補助照準用表示部を設けていたが、これを省略することもできる。補助照準用表示部を設ける場合においても、上述したような態様には限定されず、例えば、上述した補助照準用表示部のうちの何れか一つのみを設けてもよい。また、補助照準用表示部として補助円３６と補助中心円２３とを設ける場合、上述したのとは逆に、鏡面１０ａに補助円３６を設けて照準体１２の後面１２ａに補助中心円２３を設けてもよい。更に、補助照準用縦線３４を設けずに補助円３６と補助中心円２３とを設ける場合には、例えば、補助円３６あるいは補助中心円２３を照準体１２の後面１２ａの上部に設けることが精度面から好ましい。
【００４８】
更に、各種の目盛りは何れも任意であって、設ける場合においてもその配置や形状等を適宜設計変更可能である。
【００４９】
また更に、照準体１２の形状を全体として円形の枠状としたが、矩形の枠状としたり、半円や矩形の門状としたり、また円形の貫通孔３０に代えて矩形等の貫通孔３０としてもよく、照準体１２の後面１２ａ全体ではなく貫通孔３０のみを前側の照準用表示部としてもよい。尚、例えば、門状の照準体１２とする場合でも、その後面１２ａに図３のような円形状の図柄を施して図５と同様の像を鏡面１０ａに映すようにしてもよい。また、照準体１２の後面１２ａに上述したようなスポットエリア部３１を同心円上に三カ所以上配置することによって、その同心円を把握できるようにしてもよい。即ち、照準用表示部の囲いは、前後方向の軸線Ｂを中心として周方向に連続したもののみならず、不連続のものであってもよい。
【００５０】
また、例えば角棒状の照準体１２を内外方向の中央から内側や外側に偏心させて立設し、その後面１２ａとそれに対応した鏡面１０ａに、上述したような補助円３６と補助中心円２３を設けて、それらを照準用表示部として使用することもできる。即ち、補助円３６が囲いを形成する一方の照準用表示部となり、補助中心円２３が他方の照準用表示部となって、それらで目線の調整を行うようにしてもよい。その場合には、目標物を鏡面１０ａに映してヘッド１を目標物に向ける際の目印となる目標合わせ用目印部として、縦線２０や中心表示円２２等を鏡面１０ａに別途設ける。
【００５１】
尚、後側の照準用表示部や目標合わせ用目印部を鏡面１０ａに設けたが、例えば図６のように鏡面１０ａの前方に透明板６２（透明体）を配置してその透明板６２に後側の照準用表示部や目標合わせ用目印部を設けてもよい。その場合、図６のように例えば、照準体１２と鏡面１０ａとの間に透明板６２を配置する。その配置の一態様としては、図６のように、照準体１２の左右両側部から後方にそれぞれ連結板６０を伸ばしてその両連結板６０間に透明板６２を架橋させるようにする。尚、透明板としてはガラス板やプラスチック板、フィルム等が使用できる。
【００５２】
また、図６のように鏡面１０ａの前方に前後二枚の透明板６１，６２を互いに平行配置して、一方の透明板には例えば円を一方の照準用表示部として設け、他方の透明板にはその中心を示すように点や小円等を他方の照準用表示部として設けることもできる。そして、その他方の照準用表示部としての点や小円等を鏡面１０ａの例えば略中央に映るように配置すれば、その点や小円等を目標合わせ用目印部として使用できる。このように、鏡面１０ａの前方に透明板６１，６２を配置してそこに照準用表示部等を設けると、鏡面１０ａに映る照準用表示部等の像に立体感が得られる。尚、前後二枚の透明板６１，６２を連結板６０を介して照準体１２に取り付けているが、照準体１２に代えて左右一対の棒状体を立設してその棒状体に連結板６０を介して前後二枚の透明板６１，６２を取り付けてもよい。また、前後二枚の透明板６１，６２ではなく、円柱状や角柱状等の透明体の前後の端面を透明板の代わりとして用いるようにしてもよく、該透明体は中実でも中空でもよい。
【００５３】
尚、鏡部１０の形状についても任意であって、上述のように矩形とするほか、円形等にしてもよい。また、凸面の鏡面１０ａを使用すれば、視野が広角になり、鏡面１０ａを小型化できる。
【００５４】
更に、鏡部１０や照準体１２をクラブに着脱可能に構成したり逆に一体成形したりしてもよい。
【００５５】
尚、上記実施形態では、クラブとしてアイアンを例に説明したが、パターにも無論適用でき、ゴルフクラブの他、図７のようにゲートボールのクラブ（スティック）にも適用できる。尚、図７においてヘッド１に切欠を前後二カ所形成してそこに照準体１２と鏡部１０をそれぞれ差し込むようにして直接取り付けているが、台座部に照準体１２等を取り付けておいて台座部を介してヘッド１に取り付けるようにしてもよい。
【００５６】
また、ゴルフやゲートボールを模したゲーム用のクラブとしても適用可能である。その場合、ボールを実際に打っても、打たなくてもよい。設置場所としては、例えばゲームセンターや各種の屋内施設があり、ゴルフゲーム機やゲートボールゲーム機として、小さなスペースにも設置できる。更に、ボールを実際に打たずに、前側にモニターを設置し、そのモニターを見ながらクラブをスイングすることによりモニター上でボールを仮想的に打つようにしてもよい。その場合、例えば、凸面の鏡面を用いたり、プレーヤの足場を高くしたり、照準用補助具Ａの位置を高めにするなどして、モニターに映った風景（目標物）をクラブの鏡面１０ａに映すようにする。また、家庭用のＴＶゲームにも適用できる。クラブの位置や方向については各種のセンサーで認識する。
【００５７】
尚、上記実施形態では、照準用補助具Ａをヘッド１に取り付ける等して設けた場合について説明したが、照準用補助具Ａの一部あるいは全部をシャフト２に設けてもよい。
【符号の説明】
【００５８】
１    ヘッド
２    シャフト
３    フェース部
４    フェース面
５    ソール部
６    ホーゼル部
１０    鏡部
１０ａ  鏡面
１２    照準体
１２ａ  後面
１３    台座部
２０    縦線
２１    横線
２２    中心表示円
２３    補助中心円
２４    補助縦線
２５    目盛り
２６    目盛り
３０    貫通孔
３１    スポットエリア部
３２    膨出部
３３    突起
３４    補助照準用縦線
３５    補助照準用横線
３６    補助円
３７    補助縦線
３８    目盛り
３９    目盛り
４０    目盛り
５０    取付部
５１    鏡支持部
５２    照準体支持部
６０    連結板
６１    透明板（透明体）
６２    透明板（透明体）
Ａ      照準用補助具
Ｂ      軸線
【図１】
2011010984.tif 000003
【図２】
2011010984.tif 000004
【図３】
2011010984.tif 000005
【図４】
2011010984.tif 000006
【図５】
2011010984.tif 000007
【図６】
2011010984.tif 000008
【図７】
2011010984.tif 000009
【手続補正書】
【提出日】平成22年9月8日(2010.9.8)
【手続補正１】
【補正対象書類名】特許請求の範囲
【補正対象項目名】全文
【補正方法】変更
【補正の内容】
【特許請求の範囲】
【請求項１】
フェース面を有するヘッドと、該ヘッドから上方に伸びるシャフトとを備えたクラブにおいて、
前方の目標物を映して上方から見えるようにする後方傾斜の鏡面と、互いに前後に離間して対応した位置関係で配置された前後一対の照準用表示部とを備え、該前後一対の照準用表示部のうち、前側の照準用表示部は前後方向の軸線を中心とした囲いを形成するように構成され、後側の照準用表示部は、前記軸線上の点を示すように鏡面に形成されると共に、目標物を鏡面に映してヘッドのフェース面を目標物に向ける際の目印となる目標合わせ用目印部を兼ねており、
鏡面の前方には、前後に貫通した円形又は多角形の貫通孔を有する枠状又は門状に形成されて該貫通孔の開口縁部が前側の照準用表示部となる照準体が設けられ、
鏡面には後側の照準用表示部の一構成要素として前記軸線上の点を通る縦線及び横線が形成され、照準体の後面の上部には鏡面に映ったときに鏡面の前記縦線と一致する補助照準用縦線が形成され且つ照準体の後面の左右両側部のうち少なくとも一方の側部には鏡面に映ったときに鏡面の前記横線と一致する補助照準用横線が形成されていることを特徴とするクラブ。
【請求項２】
照準体の後面の上部には、ヘッドの内外方向の傾きを示すために横方向の寸法を示す目盛りが設けられている請求項１記載のクラブ。
【請求項３】
照準体の後面の一方の側部には、ヘッドの前後方向の傾きを示すために縦方向の寸法を示す目盛りが設けられている請求項１又は２記載のクラブ。
【請求項４】
照準体の後面の上部と左右両側部のうち少なくとも一方の側部には、該後面の他の部分とは異なる色彩のスポットエリア部が形成され、該スポットエリア部に前記補助照準用縦線と補助照準用横線が形成されている請求項１記載のクラブ。
【請求項５】
照準体が円形の枠状であって、その後面全体が前側の照準用表示部を構成している請求項１記載のクラブ。
【請求項６】
フェース面を有するヘッドと該ヘッドから上方に伸びるシャフトとを備えたクラブに取り付けられて、ヘッドのフェース面を前方の目標物に向けるための補助となるクラブの照準用補助具であって、
目標物を映して上方から見えるようにする後方傾斜の鏡面と、互いに前後に離間して対応した位置関係で配置された前後一対の照準用表示部とを備え、該前後一対の照準用表示部のうち、前側の照準用表示部は前後方向の軸線を中心とした囲いを形成するように構成され、後側の照準用表示部は、前記軸線上の点を示すように鏡面に形成されると共に、目標物を鏡面に映してヘッドのフェース面を目標物に向ける際の目印となる目標合わせ用目印部を兼ねており、
鏡面の前方には、前後に貫通した円形又は多角形の貫通孔を有する枠状又は門状に形成されて該貫通孔の開口縁部が前側の照準用表示部となる照準体が設けられ、
鏡面には後側の照準用表示部の一構成要素として前記軸線上の点を通る縦線及び横線が形成され、照準体の後面の上部には鏡面に映ったときに鏡面の前記縦線と一致する補助照準用縦線が形成され且つ照準体の後面の左右両側部のうち少なくとも一方の側部には鏡面に映ったときに鏡面の前記横線と一致する補助照準用横線が形成されていることを特徴とするクラブの照準用補助具。
【手続補正２】
【補正対象書類名】明細書
【補正対象項目名】０００９
【補正方法】変更
【補正の内容】
【０００９】
本発明は上記課題を解決すべくなされたものであって、本発明に係るクラブは、フェース面を有するヘッドと、該ヘッドから上方に伸びるシャフトとを備えたクラブにおいて、前方の目標物を映して上方から見えるようにする後方傾斜の鏡面と、互いに前後に離間して対応した位置関係で配置された前後一対の照準用表示部とを備え、該前後一対の照準用表示部のうち、前側の照準用表示部は前後方向の軸線を中心とした囲いを形成するように構成され、後側の照準用表示部は、前記軸線上の点を示すように鏡面に形成されると共に、目標物を鏡面に映してヘッドのフェース面を目標物に向ける際の目印となる目標合わせ用目印部を兼ねており、鏡面の前方には、前後に貫通した円形又は多角形の貫通孔を有する枠状又は門状に形成されて該貫通孔の開口縁部が前側の照準用表示部となる照準体が設けられ、鏡面には後側の照準用表示部の一構成要素として前記軸線上の点を通る縦線及び横線が形成され、照準体の後面の上部には鏡面に映ったときに鏡面の前記縦線と一致する補助照準用縦線が形成され且つ照準体の後面の左右両側部のうち少なくとも一方の側部には鏡面に映ったときに鏡面の前記横線と一致する補助照準用横線が形成されていることを特徴とする。
【手続補正３】
【補正対象書類名】明細書
【補正対象項目名】００１０
【補正方法】変更
【補正の内容】
【００１０】
該構成のクラブにあっては、前側の照準用表示部が鏡面に映る。そして、目線を前後方向と内外方向に調整しながら鏡面において後側の照準用表示部が前側の照準用表示部の中心に位置するようにすると、目線が鏡面の真上に位置する。そして、引き続き鏡面を見ながら、目標合わせ用目印部である後側の照準用表示部を目印にしつつ、目標物を鏡面の所定位置に映るようにヘッドのフェース面の向きを調整する。鏡面に映っている目標物が鏡面の所定位置に位置すると、ヘッドのフェース面が目標物を向くことになる。従って、ゴルフ等の場合、その目標物に向けて正確にボールを打つことができる。また、後側の照準用表示部が目標合わせ用目印部を兼ねているので、後側の照準用表示部とは別に目標合わせ用目印部を設ける必要がなくなる。しかも、目線の調整と目標物に対するヘッドのフェース面の向き調整の何れにおいても、鏡面において後側の照準用表示部を見ながら行うことができるので、フェース面の向き調整がより一層スムーズとなる。更に、前側の照準用表示部の中心を示す後側の照準用表示部の位置が鏡面において固定されるので、目標物の目印となる目標合わせ用目印部も固定されることとなり、鏡面を見ながらの目線の調整とフェース面の傾き調整がより一層容易になる。また、鏡面の前方に照準体が設けられ、該照準体は、前後に貫通した円形又は多角形の貫通孔を有する枠状又は門状に形成され、照準体の貫通孔の開口縁部が前側の照準用表示部を構成しているので、照準体の十分な強度を確保でき、しかも、貫通孔を形成することで鏡面の前方視界も十分に確保できる。そして、その照準体の円形等の開口縁部が前側の照準用表示部となるので、鏡面に映った前側の照準用表示部が上方から見やすく、調整が簡単になる。更に、鏡面には後側の照準用表示部の一構成要素として前記軸線上の点を通る縦線及び横線が形成され、照準体の後面の上部には鏡面に映ったときに鏡面の前記縦線と一致する補助照準用縦線が形成され且つ照準体の後面の左右両側部のうち少なくとも一方の側部には鏡面に映ったときに鏡面の前記横線と一致する補助照準用横線が形成されているので、まずは前側の照準用表示部である照準体の貫通孔の開口縁部を見て概略の目線調整を素早く行い、そのうえで更に、補助照準用縦線を鏡面の縦線と一致させることで、特に内外方向の目線調整をより一層正確に行うことが可能になる。特に照準体の後面の上部に補助照準用縦線を設けると、照準体の後面の下部に設ける場合に比して、目線の内外方向のずれに対する補助照準用縦線と鏡面の縦線との差が生じやすいので、調整が容易であり且つ正確にできる。また、補助照準用横線を鏡面の横線と一致させることで、前後方向の目線調整についても、より一層正確に行うことが可能になる。
【手続補正４】
【補正対象書類名】明細書
【補正対象項目名】００１１
【補正方法】変更
【補正の内容】
【００１１】
特に照準体の後面の上部には、ヘッドの内外方向の傾きを示すために横方向の寸法を示す目盛りが設けられていることが好ましい。
【手続補正５】
【補正対象書類名】明細書
【補正対象項目名】００１２
【補正方法】変更
【補正の内容】
【００１２】
また、照準体の後面の一方の側部には、ヘッドの前後方向の傾きを示すために縦方向の寸法を示す目盛りが設けられていることも好ましい。
【手続補正６】
【補正対象書類名】明細書
【補正対象項目名】００１３
【補正方法】変更
【補正の内容】
【００１３】
また、照準体の後面の上部と左右両側部のうち少なくとも一方の側部には、該後面の他の部分とは異なる色彩のスポットエリア部が形成され、該スポットエリア部に前記補助照準用縦線と補助照準用横線が形成されていることも好ましい。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】変更
【補正の内容】
【００２１】
また、本発明に係るクラブの照準用補助具は、フェース面を有するヘッドと該ヘッドから上方に伸びるシャフトとを備えたクラブに取り付けられて、ヘッドのフェース面を前方の目標物に向けるための補助となるクラブの照準用補助具であって、目標物を映して上方から見えるようにする後方傾斜の鏡面と、互いに前後に離間して対応した位置関係で配置された前後一対の照準用表示部とを備え、該前後一対の照準用表示部のうち、前側の照準用表示部は前後方向の軸線を中心とした囲いを形成するように構成され、後側の照準用表示部は、前記軸線上の点を示すように鏡面に形成されると共に、目標物を鏡面に映してヘッドのフェース面を目標物に向ける際の目印となる目標合わせ用目印部を兼ねており、鏡面の前方には、前後に貫通した円形又は多角形の貫通孔を有する枠状又は門状に形成されて該貫通孔の開口縁部が前側の照準用表示部となる照準体が設けられ、鏡面には後側の照準用表示部の一構成要素として前記軸線上の点を通る縦線及び横線が形成され、照準体の後面の上部には鏡面に映ったときに鏡面の前記縦線と一致する補助照準用縦線が形成され且つ照準体の後面の左右両側部のうち少なくとも一方の側部には鏡面に映ったときに鏡面の前記横線と一致する補助照準用横線が形成されていることを特徴とする。
【手続補正１４】
【補正対象書類名】明細書
【補正対象項目名】００２２
【補正方法】変更
【補正の内容】
【００２２】
以上のように、鏡面を見ながらその鏡面において後側の照準用表示部を前側の照準用表示部の中心に位置させることにより、目線の内外方向の調整と共に前後方向の調整を一度に行うことができる。しかも、鏡面において後側の照準用表示部を前側の照準用表示部の中心に位置させればよいので、上方から見やすく、目線の調整が簡単である。更に、そのまま鏡面を見ながら引き続いてヘッドの向き調整を行うことができるので、目標物に対するヘッドのフェース面の向き調整が容易且つスムーズである。